(57)【要約】【課題】  電気調理器ＣＭを２台同時に使用した場合でもブレーカにより電源遮断されないようにして、使い勝手を向上させる。【解決手段】  電源回路を共通にしない第１電源コンセント２１と第２電源コンセント２２とを家電収納室１２の背面下部に識別容易に備え、消費電力の大きな電気調理器ＣＭを電源回路を分けて使用できるようにした。また、それぞれのコンセント２１，２２からの電源供給状態を検知する電流センサ４３ａ，４３ｂを設け、どちらのコンセント２１，２２から電源供給された場合でも、それに連動させてファン５１を作動させ、電気調理器ＣＭから排出される蒸気をファン５１の送風により家電収納室１２から排出して結露の発生を防止する。【選択図】  図１
2007259996.tif 000002
【特許請求の範囲】
【請求項１】
前方を開放して電気調理器を操作可能に収納する収納室を備えたキッチン用収納棚において、
上記電気調理器への電源供給口となる第１電源コンセントと、上記第１電源コンセントとは電源回路を共通にしない別の第２電源コンセントとを上記１つの収納室内に備えたことを特徴とするキッチン用収納棚。
【請求項２】
上記第１電源コンセントと上記第２電源コンセントの何れか一方は、プラグ差込口を１組備えた１口タイプであり、他方はプラグ差込口を複数組備えた多口タイプであることを特徴とする請求項１記載のキッチン用収納棚。
【請求項３】
上記第１電源コンセントと上記第２電源コンセントとは、隣り合って並べて配置されることを特徴とする請求項２記載のキッチン用収納棚。
【請求項４】
上記電気調理器で発生した蒸気を上記収納室から外に排出する送風手段と、
上記第１電源コンセントからの電源供給状態を検知する第１電源使用検知手段と、
上記第２電源コンセントからの電源供給状態を検知する第２電源使用検知手段と、
上記第１電源使用検知手段により上記第１電源コンセントから所定の電源供給が検知されたとき、および、上記第２電源使用検知手段により上記第２電源コンセントから所定の電源供給が検知されたとき、上記送風手段を作動させる連動制御手段と
を備えたことを特徴とする請求項１ないし請求項３の何れかに記載のキッチン用収納棚。
【請求項５】
上記第１電源コンセントには、上記送風手段の連動作動と作動停止とを選択的に切り替える切替操作スイッチが設けられることを特徴とする請求項４記載のキッチン用収納棚。
【発明の詳細な説明】
【技術分野】
【０００１】
本発明は、システムキッチンを構成するキャビネット等に組み込まれ、電気炊飯器等の電気調理器を前方から操作可能に収納するキッチン用収納棚に関する。
【背景技術】
【０００２】
従来から、特許文献１に示されるように、電気炊飯器等の電気調理器を前方から操作可能に収納する収納棚が組み込またシステムキッチンが知られている。こうした収納棚は、一般に家電ストッカーと呼ばれ、前方が開放された収納室内に電気炊飯器、電気ポット、コーヒーメーカーといった電気調理器が載置される。
この収納室内には、電気調理器に電源供給するための電源コンセントが設けられる。収納室内では、複数の電気調理器（例えば、電気炊飯器と電気ポット）が使用されるため、一般に多口コンセントが設けられる。また、電気調理器から発生する蒸気を収納室の外に排出するための送風ファンも備え、この送風ファンの作動スイッチもコンセントに並設される。
【特許文献１】特開平１０−１１５４４５号公報
【０００３】
しかしながら、電気調理器を２台同時に使用した場合には、商用電源の受電口に設けられる配電盤のブレーカが作動して電源が遮断されてしまうことがある。一般に、電気調理器の消費電力は、電気炊飯器では約１２００Ｗ、電気ポットでは約１０００Ｗ、オーブントースタでは約１３００Ｗというように大きい。従って、消費電力の大きな電気調理器を同時に作動させた場合、その作動状況によっては、使用電流がブレーカの制限電流を越えてしまい電源供給が停止してしまう。
このため、例えば、炊飯器を作動させているときに、オーブントースタで調理を開始しようとすると、ブレーカの作動により炊飯途中で炊飯器が作動停止して炊飯調理が台無しになってしまうことがある。
そこで、使用者は、電力消費の大きな調理器を同時使用しないように注意しなければならず、あまり使い勝手がよいものとはいえなかった。
また、タイマー炊飯を行う場合においても、他の電気調理中にタイマー炊飯が開始されないように気を付けなければならなかった。
【発明の開示】
【０００４】
本発明の目的は、上記問題に対処するためになされたもので、電気調理器の同時使用に対する使い勝手を向上させることにある。
【０００５】
上記目的を達成するために、本発明の特徴は、前方を開放して電気調理器を操作可能に収納する収納室を備えたキッチン用収納棚において、上記電気調理器への電源供給口となる第１電源コンセントと、上記第１電源コンセントとは電源回路を共通にしない別の第２電源コンセントとを上記１つの収納室内に備えたことにある。
【０００６】
上記のように構成した本発明によれば、１つの収納室内に電源回路を共通にしない２電源系統の電源コンセントを備えているため、消費電力の大きな調理器を同時に作動させることができる。従って、例えば、電気炊飯器とオーブントースタといった消費電力の大きな調理器を同時に使用することができ、使い勝手が向上する。
尚、本発明における電気調理器とは、主にキッチンで使用する電気器具を意味し、電気ポット等の湯沸かし器をも含めるものである。
【０００７】
本発明の他の特徴は、上記第１電源コンセントと上記第２電源コンセントの何れか一方は、プラグ差込口を１組備えた１口タイプであり、他方はプラグ差込口を複数組備えた多口タイプであることにある。
【０００８】
これによれば、調理中に電源遮断されたくない優先度の高い電気調理器に対しては、１口タイプの電源コンセントから給電されるように電源プラグを接続することで、安定した電源供給を受けることができる。
また、消費電力の余り高くない電気調理器に対しては、多口タイプの電源コンセントから給電されるように電源プラグを接続することで、いちいち電源プラグを差し替えることなく使用することができる。この場合、１口タイプの電源コンセントから給電される電気調理器と同時に使用しても、電源遮断されてしまうこともなく、非常に使い勝手が良い。
また、タイプの異なる電源コンセントを用いているため、２電源系統の電源コンセントを容易に識別することができ、正しく使い分けることができる。
【０００９】
本発明の他の特徴は、上記第１電源コンセントと上記第２電源コンセントとは、隣り合って並べて配置されることにある。
【００１０】
この発明によれば、２つの電源コンセントを一箇所にまとめてレイアウトをすっきりさせることができる。このように一箇所にまとめても、タイプの異なる電源コンセントを用いているため、それらを容易に識別することができ、正しく使い分けることができる。しかも、電気調理器の電源コードの取り回しが煩雑にならない。
【００１１】
本発明の他の特徴は、上記電気調理器で発生した蒸気を上記収納室から外に排出する送風手段と、上記第１電源コンセントからの電源供給状態を検知する第１電源使用検知手段と、上記第２電源コンセントからの電源供給状態を検知する第２電源使用検知手段と、上記第１電源使用検知手段により上記第１電源コンセントから所定の電源供給が検知されたとき、および、上記第２電源使用検知手段により上記第２電源コンセントから所定の電源供給が検知されたとき、上記送風手段を作動させる連動制御手段とを備えたことにある。
【００１２】
これによれば、電気調理器で発生した蒸気を送風手段により収納室外に排出して収納室天井面の結露発生を防止できる。しかも、第１電源コンセント、第２電源コンセントのどちらを使っても、電気調理器の使用に連動して送風手段が作動するため、使用者がコンセントを選ぶ必要もなく、確実に結露防止を図ることができる。
【００１３】
また、例えば、所定量以上の電流が流れたときに送風手段を作動させるように連動制御手段の作動開始条件を設けることで、消費電流の少ない電機調理器の使用時には送風手段を作動させないようにすることもできる。一般に、蒸気を発生させる電気調理器は、ヒータ等を用いた電力消費の大きい加熱調理器であるため、加熱調理器とは異なる電気調理器の使用時には送風手段を停止させることが可能となり、無意味な送風動作を減らして電気料金を節約することもできる。
【００１４】
本発明の他の特徴は、上記第１電源コンセントには、上記送風手段の連動作動と作動停止とを選択的に切り替える切替操作スイッチが設けられることにある。
【００１５】
これによれば、使用する電気調理器にあわせて送風手段の作動を使用者が任意に切り替えることができ、電気料金を節約することができる。例えば、ジューサー等の蒸気を発生しない電気調理器を使用する場合には、切替操作スイッチをオフにして送風手段を作動させないようにできる。
【発明を実施するための最良の形態】
【００１６】
以下、本発明の一実施形態に係るキッチン用収納棚について図面を用いて説明する。
図１は、一実施形態としてのキッチン用収納棚の正面図である。このキッチン用収納棚（以下、単に収納棚と呼ぶ１０）は、一般に家電ストッカーと呼ばれるもので、システムキッチンのキャビネットに組み込まれる。
この収納棚１０は、前面に開閉扉１１ａを備え食器等を収納する上段収納室１１と、上段収納室１１の下方に設けられ電気炊飯器や電気ポット等の電気調理器ＣＭを収納する家電収納室１２と、家電収納室１２に下方に設けられ食品等を収納する引き出し式の下段収納室１３とを備える。
この家電収納室１２が、本発明の収納室に相当する。
【００１７】
この家電収納室１２は、左右側板１２ａ，１２ｂ、底板１２ｃ、背板１２ｄ、天井板１２ｅにより囲まれて形成され、前面が開放されている。そして、底板１２ｃに電気調理器ＣＭを載置した収納状態でそのまま前面から操作できるようになっている。また、底板１２ｃは、手前にスライドさせることにより更に使い勝手が良くなる。
家電収納室１２の背板１２ｄには、その上部に送風口５０が設けられる。この送風口５０は、家電収納室１２の横幅いっぱいまで形成され、その後方に設けたクロスフローファン５１（以下、単にファンと呼ぶ）から送られた空気を家電収納室１２の天井板１２ｅに沿って送風するための吹き出し口となる。炊飯器や電気ポットといった加熱調理器においては、加熱中に蒸気を発生するため、家電収納室１２の天井板１２ｅに結露を発生させてしまう。そこで、送風口５０から送られる空気の流れにより、この空気と一緒に蒸気を家電収納室１２の外に排出するように構成されている。
【００１８】
また、家電収納室１２は、その背板１２ｄ下部中央に２組の電源コンセント２１，２２が上下に隣り合って並べて設けられる。以下、この２組の電源コンセント２１，２２を第１電源コンセント２１、第２電源コンセント２２と呼ぶ。
図３に示すように、第１電源コンセント２１は、横方向に長く延びたコンセントプレート２１ａ内に２つのプラグ差込口２１ｂ、２１ｃとファン５１の連動作動モード／作動停止モードを切り替える作動切替操作スイッチ２１ｄとを設けたスイッチ付２口コンセントである。この作動切替操作スイッチ２１ｄには、連動作動モードに設定されているときに点灯する自動運転ランプ２１ｅが内臓される。
第２電源コンセント２２は、第１電源コンセント２１の上段に並べて設けられ、第１電源コンセント２１よりも横幅の短かいコンセントプレート２２ａ内に１つのプラグ差込口２２ｂを設けた１口コンセントである。
【００１９】
この第１電源コンセント２１と第２電源コンセント２２とは、図２に示すように、電源回路が共通ではなく独立して設けられる。
つまり、配電盤の２系統の電源回路から別々に電源供給を受けられるように、収納棚１０の任意の箇所に２つの電源接続端子３１，３２を備え、この２つの電源接続端子３１，３２に別系統の電源回路が接続される。ここで、電源回路が別系統とは、配電盤に設けられたブレーカ（メインブレーカから分岐して設けられる末端の２０アンペアのブレーカ）の２次側の電源供給回路が異なることを意味する。従って、この電源接続端子３１，３２とブレーカとがそれぞれ１対１で配線ケーブルＣ（例えば、ＶＶＦケーブル）にて接続される。
【００２０】
第１電源コンセント２１は、２つのプラグ差込口２１ｂ，２１ｃおよび自動運転ランプ２１ｅが２線の電源ライン３３に対して並列に接続され、さらに、プラグ差込口２１ｂ，２１ｃと自動運転ランプ２１ｅとの間の電源ライン３３の一方に作動切替操作スイッチ２１ｄが設けられる。
また、第１電源コンセント２１および第２電源コンセント２２から電源供給されたときにファン５１のモータ５２を連動作動させる制御ユニット４０が収納棚１０の背面に設けられる。
【００２１】
この制御ユニット４０は、第１電源コンセント２１の電源ライン３３を作動切替操作スイッチ２１ｄを介して接続するコンセント接続端子４１と、モータ５２への電源ライン３５を接続するモータ接続端子４２とを備え、この２つの接続端子４１，４２間を電気的に接続あるいは遮断する制御回路４３を備える。また、コンセント接続端子４１と制御回路４３との間の電源ライン３６の一方にはヒューズ４４が設けられる。
制御回路４３は、第１電源コンセント２１から電源使用されたことを検出するために、その電源ライン３３に流れる電流を検出する第１電流センサ４３ａと、第２電源コンセント２２から電源使用されたことを検出するために、その電源ライン３４に流れる電流を検出する第２電流センサ４３ｂと、コンセント接続端子４１とモータ接続端子４２との間の電源ライン３６の一方を開閉するスイッチ４３ｃとを備える。
そして、第１電源コンセント２１あるいは第２電源コンセント２２のどちらから電源供給された場合においても、スイッチ４３ｃを閉じてファン５１のモータ５２に電源供給するように構成される。
【００２２】
例えば、各電源ライン３３，３４に流れる電流により電磁リレーを作動させてスイッチ４３ｃ（リレー接点）をオンするように構成される。
従って、電気調理器ＣＭを使用すると、それに連動してファン５１が作動し、電気調理器ＣＭから発生する蒸気を家電収納室１２から外に排出することができる。
本実施形態においては、各電源ライン３３，３４に２アンペア以上の電流が流れたときに、スイッチ４３ｃを閉じるように設定する。蒸気を発生する電気調理器ＣＭは、加熱ヒータ等の消費電力の高い負荷を有するからである。このため、蒸気を発生しない電気調理器ＣＭの使用時において、無意味な送風動作を減らすことができ経済的である。
【００２３】
また、使用者は、第１電源コンセント２１に設けられた作動切替操作スイッチ２１ｄをオフすることにより、各電源コンセント２１，２２からの電源使用の有無に関わりなくファン５１の作動を停止させることができる。
【００２４】
第１電源コンセント２１と第２電源コンセント２２とは、図３に示すように、コンセントプレート２１ａ，２２ａを分けて別々に設けられ、しかも、その隣に各コンセント容量を個々に表示する表示部２３が設けてあるため、使用者は、２つの電源系統の区別を容易に認識することができる。このため、電気調理器ＣＭの消費電力の大きさ、電源供給優先度等に応じて、第１電源コンセント２１と第２電源コンセント２２とを使い分けることができる。
つまり、調理中に電源遮断されたくない優先度の高い電気調理器ＣＭに対しては、１口タイプの第２電源コンセント２２から給電されるように電源プラグを接続することで、安定した電源供給を受けることができる。また、消費電力の余り高くない電気調理器ＣＭあるいは途中で電源遮断されても問題のない電気調理器ＣＭに対しては、２口タイプの第１電源コンセント２１から給電されるように電源プラグを接続することで、いちいち電源プラグを差し替えることなく合計３台の電気調理器ＣＭそのまま使用することができる。
【００２５】
以上説明したように本実施形態のキッチン用収納棚１０によれば、１つの家電収納室１２内に電源回路を共通にしない２電源系統の電源コンセント２１，２２を備えているため、消費電力の大きな電気調理器ＣＭを同時に作動させることができる。従って、調理途中でブレーカが作動して調理が台無しになってしまったり、タイマー調理開始時間を気にしたりする必要がなく、安心して電気調理器ＣＭを使用することができる。このため、使い勝手が非常に良い。
【００２６】
また、第１電源コンセント２１と第２電源コンセント２２とを家電収納室１２の背板１２ｄに一箇所にまとめて配置したため、そのレイアウトをすっきりさせることができるとともに電気調理器ＣＭの電源コードの取り回しが煩雑にならない。しかも、この場合であっても、第１電源コンセント２１、第２電源コンセント２２との識別が容易であるため、使用者は、それらを正しく使い分けることができる。
【００２７】
更に、第１電源コンセント２１、第２電源コンセント２２のどちらを使用しても、電気調理器ＣＭの使用に連動してファン５１が作動するため、使用者が電源コンセント２１，２２を選ぶ必要もなく、確実に結露防止を図ることができる。
また、消費電力の低い電気調理器ＣＭの使用時においてはファン５１が連動作動せず、しかも、消費電力の高い電気調理器ＣＭの使用であっても、作動切替操作スイッチ２１ｄをオフにしておくことでファン５１の無意味な作動を停止させることができるため、利便性と経済性とを両立することができる。
【００２８】
以上、本実施形態のキッチン用収納棚１０について説明したが、本発明は上記実施形態に限定されるものではなく、本発明の目的を逸脱しない限りにおいて種々の変更が可能である。
【００２９】
例えば、独立した電源回路のコンセントの数を更に増して、例えば、第３電源コンセント等を設けてもよい。
また、本実施形態においては、第２電源コンセントとして１口コンセントを採用しているが、多口コンセントを採用しても良い。また、第１電源コンセントとして、１口コンセントあるいは３口以上のコンセントを採用してもよい。
また、キッチン用収納棚に複数の家電収納室を設けても良い。この場合においても、少なくともその１つの家電収納室に電源回路を共通しない第１電源コンセント、第２電源コンセントを設ければよい。
【図面の簡単な説明】
【００３０】
【図１】実施形態にかかるキッチン用収納棚の正面図である。
【図２】コンセントおよび制御ユニットの概略回路構成図である。
【図３】コンセントの正面図である。
【符号の説明】
【００３１】
１０…キッチン用収納棚、１２…家電収納室、２１…第１電源コンセント、２２…第２電源コンセント、２１ｂ、２１ｃ、２２ｂ…プラグ差込口、２１ｅ…作動切替操作スイッチ、２３…表示部、４０…制御ユニット、４３…制御回路、４３ａ…第１電流センサ、４３ｂ…第２電流センサ、４３ｃ…スイッチ、５０…送風口、５１…クロスフローファン、５２…モータ。
【図１】
2007259996.tif 000003
【図２】
2007259996.tif 000004
【図３】
2007259996.tif 000005